(57)【特許請求の範囲】
【請求項１】
運動者が着用する取付部材；
タイムドイベント中に信号を受信するための、取付部材に結合しているトランシーバ；および
タイムドイベント中の運動者の1または複数の測定されたスプリットタイム、および、該タイムドイベントのためのユーザーが定義した複数のスプリットタイムを含む、タイムドイベントに関連するデータを表示するための、取付部材に結合しているディスプレイ；
少なくとも一つのプロセッサ；および
該少なくとも一つのプロセッサに操作可能に結合している、コンピュータによる読み取りが可能な命令を記憶したメモリ
を含む、タイムドイベント中に運動者が着用する個人用装置であって、
該信号が、該個人用装置に、タイムドイベント中の運動者の該1または複数の測定されたスプリットタイムを自動的に決定および記録させ、
該命令は、実行された際、該個人用装置に
あらかじめ別の物理的に独立した装置に記憶された、該ユーザーが定義した複数のスプリットタイムを定義するユーザーが特定したプランを、該別の物理的に独立した装置から受信させ；
該トランシーバを介して、タイムドイベントのスタートの前に行われるタイムドイベントのための運動者の登録過程の間に、該メモリに記録された運動者に特有の個人情報を伝送させ；
タイムドイベント中に、コースに沿って生成されるタイムドイベントに関連する信号を検出させ；
コースに沿って生成される信号を検出したことに応答して、
該1または複数の測定されたスプリットタイムを記録させ；
タイムドイベントにおける運動者の第1の種類の成果に関する計量情報を所定の長さの時間の間だけ表示させ；および、
該所定の長さの時間が経過し次第、自動的にタイムドイベントにおける運動者の第2の種類の成果に関する計量情報を表示させるものであり、
該ディスプレイは、
第1の種類の成果に関する計量情報として、タイムドイベント中の運動者の第1の測定されたスプリットタイムを、第1のユーザーが定義したスプリットタイムと同時に表示し、
第2の種類の成果に関する計量情報として、タイムドイベント中の運動者の経過時間を表示する、
個人用装置。
【請求項２】
トランシーバがRFIDトランシーバをさらに含み、検出される信号が無線周波数信号を含む、請求項1記載の個人用装置。
【請求項３】
ディスプレイが、タイムドイベント中の運動者の第1の測定されたスプリットタイムとタイムドイベント中の運動者の第1のユーザーが定義したスプリットタイムとの比較をさらに表示する、個人用運動装置であって、
該比較が、運動者が該ユーザーが定義したスプリットタイムに対して先行しているのか、遅れているのか、順調に進んでいるのかの視覚的な指標を含み、
該視覚的な指標が、第1の測定されたスプリットタイムおよび第1のユーザーが定義したスプリットタイムと異なる、請求項1記載の個人用装置。
【請求項４】
ディスプレイが、
タイムドイベント中の終わりにおける運動者の経過時間を恒久的に表示する双安定ディスプレイ
をさらに含む、請求項1記載の個人用装置。
【請求項５】
タイムドイベント中に運動者が着用する装置のトランシーバによって、あらかじめ別の物理的に独立した装置に記憶された、ユーザーが定義した複数のスプリットタイムを定義するユーザーが特定したプランを、該別の物理的に独立した装置から受信する段階；
トランシーバを介してタイムドイベントのスタートの前に行われるタイムドイベントのための運動者の登録過程の間に、該着用される装置のメモリに記録された運動者に特有の個人情報を伝送する段階；
タイムドイベント中に、タイムドイベントのコースに沿って生成され、該コースに沿った位置に対応する信号を、該装置により検出する段階；
該信号を検出したことに応答して、
タイムドイベント中の運動者の測定されたスプリットタイムを該装置により自動的に決定する段階；
タイムドイベントにおける運動者の第1の種類の成果に関する計量情報を所定の長さの時間の間だけトランシーバに結合しているディスプレイによって表示する段階；および、
該所定の長さの時間が経過し次第、自動的にタイムドイベントにおける運動者の第2の種類の成果に関する計量情報をトランシーバに結合しているディスプレイによって表示する段階
を含む方法であって、
第1の種類の成果に関する計量情報として、タイムドイベント中の運動者の第1の測定されたスプリットタイムを、第1のユーザーが定義したスプリットタイムと同時に表示し、
第2の種類の成果に関する計量情報として、タイムドイベント中の運動者の経過時間を表示する、方法。
【請求項６】
トランシーバに結合しているディスプレイによって、運動者のペースを表示する段階
をさらに含む、請求項5記載の方法。
【請求項７】
トランシーバに結合しているディスプレイによって、タイムドイベントの終わりにおける運動者の成果の指標を恒久的に表示する段階
をさらに含む、請求項5記載の方法。
【請求項８】
トランシーバに結合しているディスプレイによって、タイムドイベントの終わりにおけるタイムドイベントの経過時間を恒久的に表示する段階
をさらに含む、請求項5記載の方法。
【請求項９】
タイムドイベント中の運動者の成果の指標を、該トランシーバにより伝送する段階
をさらに含む、請求項5記載の方法。
【請求項１０】
コースに沿って生成される信号を検出したことに応答して、タイムドイベント中に少なくとも1つの、トランシーバに結合している物理的に独立した装置から、運動者に対する動機づけのメッセージを受信する段階
をさらに含む、請求項5記載の方法。
【請求項１１】
該メモリが、運動者の支出情報をさらに記憶し、該支出情報が登録過程の間に1つまたは複数の他のシステムに電子的に提供される、請求項1記載の個人用装置。
【請求項１２】
該コンピュータによる読み取りが可能な命令が、実行された際、さらに該個人用装置に
コースに沿って生成される信号を検出したことに応答して、
地理的位置決定システムからの信号を受信する段階を含めて、運動者の現在の地理的な位置を決定させ；および、
運動者の地理的な位置をコースに沿って記述する、所定の位置情報を表示させるものである、
請求項1記載の個人用装置。
【発明の詳細な説明】
【技術分野】
【０００１】
関連出願
本出願は、2007年3月30日に出願され、かつ参照により組み入れられ、本明細書の一部をなす、米国仮特許出願第60/909,212号の恩典を主張するものである。
【０００２】
技術分野
本発明は、全体として、運動活動で使用する個人用装置に関し、より詳しくは、RFIDソースがトリガする機能性を有する、ランナーなどの運動者が着用する装置に関する。
【背景技術】
【０００３】
発明の背景
ランニングは身体の健康についての人気のある形態である。一般的なランニング活動において、ランナーは多くの場合、マラソン、5キロ走、10キロ走、または種々の距離の他のレースなどのレースイベントに参加する。フィットネスレベルおよび進捗を判定するために、ランナーは多くの場合、レースの完走にかかったタイムを記録する。ランナーは多くの場合、伝統的な腕時計に組み入れられる、経過時間を記録するストップウォッチを利用可能である。腕時計は、ランナーがレースコースに沿って進むことに伴うスプリットタイムを、腕時計上のラップ／スプリットボタンを手動で押すことで記憶する能力を有し得る。技術の進歩は、数百名、さらには数千名のランナーが参加するレースイベントにおいて特に、より高度なタイム管理（time keeping）をもたらした。例えば、1つのシステムは、無線自動識別（RFID）技術を利用する自動計時システムを与える。該システムでは、アンテナがそこに組み入れられているマットが、レースコース沿いのスタート、フィニッシュ、および他の計時位置に配置されている。ランナーがレースコースに沿って進むに伴ってマットと相互作用する小型トランスポンダを、ランナーは着用する。ランナーがイベントを走行するに伴って、トランスポンダとマットとの相互作用を通じてタイムが自動的に管理される。タイムデータは中心位置に伝送され、そこでレース役員はレースの進捗および全参加者のタイムをモニタリングすることができる。
【０００４】
これらの種類のレースイベントシステムは、典型的にはレース組織者が管理する。したがって、タイムデータもやはりレース組織者が制御する。システムに関連する正式のレースイベントトランスポンダを使用することで、ランナーは、計時データを限定的に制御し、計時データをさらに使用するための容易なアクセスを有さない。さらに、装置は通常、レース組織者に返却しなければならない。トランスポンダを別途購入可能なある種の場合では、トランスポンダは、同一種類の計時システムを利用する他のレースを除いてさらなる有用性を一般に有さない。したがって、ある種のレースイベント装置はいくつかの有利な特色を与えるが、それでもなおある種の限界を有している。本発明は、先行技術のこれらの限界および他の欠点のうちのいくつかを克服し、これまで利用可能ではなかった新規の特色を与えることを目的とする。
【発明の概要】
【０００５】
本発明は、RFIDソースがトリガする機能性を有する個人用運動装置を開示する。例示的な一態様では、個人用運動装置は、RFID技術を利用する自動計時システムで使用される。
【０００６】
本発明の一局面によれば、ランナーはレース中に個人用運動装置を着用する。レースコースには複数のマットがレースコースに沿って設けられる。マットはアンテナを有し、磁界を生成する。個人用運動装置は、RFIDタグおよびディスプレイを有するチップシステムを有する。ランナーがコースに沿って進むに伴い、RFIDタグが各マットでトリガされ、スプリットタイムおよび全経過時間が装置10上に表示される。
【０００７】
本発明の別の局面によれば、目標スプリットタイムを個人用運動装置にアップロードすることができる。ランナーがレースコースに沿って進むに伴い、実際のスプリットタイムが目標スプリットタイムに隣接して、ランナーによる比較のために表示される。ランナーにさらなるペース情報を与えるために、さらなる機能性を装置に与えることができる。
【０００８】
本発明の別の局面によれば、装置は、双安定ディスプレイであるディスプレイを備えている。双安定ディスプレイは、レースにおけるランナーのフィニッシュタイムを恒久的に表示するように設計されている。装置は、レースのおみやげまたは記念品として使用される。
【０００９】
これらのおよび他の目的および利点は、下記の図面の説明および本発明の詳細な説明から明らかになるであろう。
[本発明101]
運動者が着用する取付部材;
タイムドイベント中に信号を受信するための、取付部材に結合しているトランシーバ;および
タイムドイベントに関連するデータを表示するための、取付部材に結合しているディスプレイ
を含む、タイムドイベント中に運動者が着用する個人用装置。
[本発明102]
トランシーバがRFIDトランシーバをさらに含む、本発明101の個人用装置。
[本発明103]
ディスプレイが、タイムドイベント中の運動者のスプリットタイムを表示する、本発明101の個人用装置。
[本発明104]
ディスプレイが、タイムドイベント中の運動者の所定のスプリットタイムをさらに表示する、本発明103の個人用装置。
[本発明105]
ディスプレイが、タイムドイベント中の運動者のスプリットタイムとタイムドイベント中の運動者の所定のスプリットタイムとの比較をさらに表示する、本発明104の個人用装置。
[本発明106]
ディスプレイが、タイムドイベント中の運動者の経過時間を表示する、本発明101の個人用装置。
[本発明107]
ディスプレイが、
タイムドイベント中の終わりにおける運動者の経過時間を恒久的に表示する双安定ディスプレイ
をさらに含む、本発明101の個人用装置。
[本発明108]
ランナーの手首の周りにフィットするように適応される、リストバンド;および
レースのフィニッシュラインを超えるランナーに応答してしるし(indicia)を表示するための、リストバンド上に操作可能に装着されるディスプレイ
を含む、レース中にランナーが着用する個人用装置。
[本発明109]
ディスプレイが、
レースのフィニッシュラインを超えるランナーに応答してランナーの経過レース時間を恒久的に表示する双安定ディスプレイ
をさらに含む、本発明108の個人用装置。
[本発明110]
ディスプレイが、レース中のランナーのスプリットタイムを表示する、本発明108の個人用装置。
[本発明111]
ディスプレイが、レース中のランナーの目標スプリットタイムをさらに表示する、本発明110の個人用装置。
[本発明112]
ディスプレイが、レース中のランナーのスプリットタイムと目標スプリットタイムとの比較をさらに表示する、本発明111の個人用装置。
[本発明113]
タイムドイベント中に運動者が着用するトランシーバによって、タイムドイベントに対応する信号を受信する段階;
トランシーバに結合しているディスプレイによって、タイムドイベント中の運動者の成果の指標を表示する段階;および
トランシーバに結合しているディスプレイによって、タイムドイベント中の運動者の成果と目標成果との比較を表示する段階
を含む方法。
[本発明114]
トランシーバに結合しているディスプレイによって、運動者のペースを表示する段階
をさらに含む、本発明113の方法。
[本発明115]
トランシーバに結合しているディスプレイによって、タイムドイベントの終わりにおける運動者の成果の指標を恒久的に表示する段階
をさらに含む、本発明113の方法。
[本発明116]
トランシーバに結合しているディスプレイによって、タイムドイベントの終わりにおけるタイムドイベントの経過時間を恒久的に表示する段階
をさらに含む、本発明113の方法。
[本発明117]
タイムドイベント中の運動者の成果の指標を伝送する段階
をさらに含む、本発明113の方法。
[本発明118]
動機づけのメッセージを運動者に与える段階
をさらに含む、本発明113の方法。
【図面の簡単な説明】
【００１０】
【図１】一例の環境において本発明の個人用運動装置を着用する運動者を示す。
【図２】本発明の個人用運動装置で使用されるチップシステムの模式ブロック図である。
【図３】本発明で使用されるレースコースおよび計時システムの模式図である。
【図４】図1に示す個人用運動装置の前方斜視図である。
【図５】本発明の個人用運動装置の一代替態様の前方斜視図である。
【発明を実施するための形態】
【００１１】
詳細な説明
本発明は、多くの異なる形態で具体化可能であるが、本開示が本発明の原理の例証として考えられるべきであり、本発明の広範な局面を例示される態様に限定するように本開示が意図されているわけではないという理解に基づいて、本発明の好ましい態様を図面に示し、本明細書において詳細に説明する。
【００１２】
個人用運動装置を図1に示し、全体として参照番号10を用いて示される。下記でさらに詳細に説明する例示的な一態様では、個人用運動装置10は、マラソンまたは他のタイムドイベントなどのランニングイベント中に運動者が着用するブレスレット10の形態である。個人用運動装置10は、タイムドイベントに多くの場合組み入れられる計時システム12で使用される。計時システム12を全体として説明した後で、個人用運動装置10およびその強化された機能的能力をさらに詳細に説明する。
【００１３】
一般に、計時システムは複数のマット14およびコントローラ16を含む。図1はマット14の側面図を示し、図3は複数のマット14の模式平面図を示す。一般に、マット14は、マット14に埋め込まれているアンテナ18を有する平坦な部材（模式的に示す）である。ある種の例示的な態様では、複数のアンテナ18をマット14に埋め込むことができる。マット14は、イベントに参加することが予測される数のランナーを容易に収容するだけの寸法を有する。コントローラ16は、マット14に操作可能に接続されており、読取装置20、ならびに公知の関連する操作可能構成要素、例えば電源、ディスプレイ、および他の信号を有する。コントローラ16が複数のコントローラ16を含み得るものであり、コントローラ16が各マット14と関連しており、コントローラ16が計時データの収集および管理用の中心位置を含むということが理解される。
【００１４】
図3にさらに模式的に示すように、複数のマット14がレースコース22に沿って配置される。例えば、マット14は、レーススタート24およびフィニッシュライン26に配置される。さらに、複数のマット14がレースコース22沿いの中間位置に配置される。例えば、マラソンイベントでは、マット14をレースの各マイルマーカーに位置づけることができる。下記でさらに詳細に説明するように、個人用運動装置10は、イベント中に計時システム12と相互作用する。運動者の靴の上で典型的に着用されるトランスポンダの形態のチップなどの他の装置を運動者が利用可能であるということが理解される。しかしながら、これらの種類のチップは、限定された相互作用能力しか有さない。
【００１５】
図1、2、4、および5に示すように、個人用運動装置10は一般に、取付部材32、およびそこに取り付けられているチップシステム34を含む。一般に、チップシステム34はミニデータおよび信号レシーバ／伝送装置34の形態である。
【００１６】
本発明の例示的な一形態では、取付部材32は、ランナーの手首の周りに着用されるように適応されているバンド36の形態を取る。バンド36は、一体リングの形態の弾力がある弾性型材料から作製可能であり、バンド38は、手の上で容易に延伸し、一般的に快適な形式で手首にフィットすることが可能である。代替形態では、取付部材32は、所望であれば異なる種類の取付構造、例えばバックル、スナップ、フック、およびループファスナーまたは他の種類のファスナーを含み得る。取付部材32は、構造内に中断を含んでもよく、これにより、中断によって手首の上に部材32がフィット可能になる。取付部材32は、その上の他の望ましいしるし（indicia）、および様々な異なる色も含み得る。取付部材32はさらに、チップシステム34を収納および支持する構造および寸法を有する。
【００１７】
図2にさらに示すように、チップシステム34は、信号およびデータの受信および伝送が可能であり、トランスポンダ38、マイクロプロセッサ40、およびディスプレイ42を一般に含む。本明細書に記載の機能および相互作用を与えるためにチップシステムの構成要素が操作可能に接続されているということが理解される。
【００１８】
本発明の例示的な一形態では、トランスポンダ38は、能動または受動RFIDチップまたはタグ38である。RFIDタグ38は、マット14から磁気信号などの初期信号を受信し、初期信号に応答して返答を伝送することが可能である。マイクロプロセッサ40は、多くの異なる形態を取り得るものであり、一般的には、装置10と計時システム12との相互作用に関連するステップ、作用、およびコマンドを処理または制御するユニットである。具体的には、マイクロプロセッサ40はタイムの正確な記録用の単純なクロノグラフ44を含む。マイクロプロセッサ40に関連する具体的な機能性は、計時システム12で使用する装置10の操作を論じる際に、下記でさらに詳細に説明する。
【００１９】
マイクロプロセッサ40はメモリ46も含む。メモリ46は、EEPROMなどの小容量のフラッシュメモリ、およびサイズ約1kであり得るが、メモリのサイズは異なり得る。マイクロプロセッサ40は電池48などの電源48をさらに含む。電池48は様々な形態を取り得るものであり、例示的な一態様では、電池48はペーパー電池、または補聴器用途で使用される電池と同様のものである場合がある。最後に、ディスプレイ42は、フレキシブルプラスチックLEDまたはLCDなどの単純なディスプレイであり得る。ディスプレイ42は、手首の輪郭に付着するようにフレキシブルであり得る。ディスプレイ42は、ランナーがディスプレイ42を容易に閲覧できる位置に装着される。さらに、チップシステム34は、運動者が所望に応じて情報を入力可能なユーザー入力モジュール45を含み得る。下記でさらに詳細に説明するように、チップシステム34は、ワイヤレス通信用の通信要素49も有し得る。チップシステム34の各種構成要素が、取付部材32によって支持される小さいハウジング内に含まれ得るということが理解される。チップシステム34が、ワイヤレス伝送、および他の種類の装置との全面的ワイヤレス通信が可能であり得るものであり、かつ、所望に応じてデータ伝送ポートを備え得るということがさらに理解される。
【００２０】
ここで個人用運動装置10の操作を、マラソンイベントを例として説明する。上記で説明したように、マット14は、指定されたレースコース22に沿って位置づけられる（図3）。マット14は、コース22のスタート24、およびフィニッシュライン26を規定するコースの終わりに配置される。さらに、複数の他のマット14が、レースコース22沿いの中間位置、例えば各マイルマーカー、例えばマイルマーカー1番からマイルマーカー26番までに位置づけられる。適切なアンテナなどを備えるマット14が、マット14から磁界F（図1）を生成するということが理解される。
【００２１】
マラソンイベントに参加するランナーは手首に装置10を着用しており、装置10は単にブレスレットと考えることができる。ランナーがレースをスタートすると、スタートライン24のマット14は、生成された磁界Fを通じてRFIDタグ38をトリガし、次にRFIDタグ38はマイクロプロセッサ40のクロノグラフ44を起動させる。また、経過レース時間がディスプレイ42に表示される。レースコース沿いの後続の各マット14も同様にRFIDタグ38をトリガし、ディスプレイ42にマイルスプリットタイムを表示する。チップシステム34は、ディスプレイ42にスプリットタイムを数秒間表示した後、ディスプレイ42を切り替えて経過レース時間を表示し続けるように設計されている。装置10は、ランナーに対してディスプレイ42を閲覧してスプリットタイムを見るように指示するための、振動信号、可聴信号、または他の種類の信号も有し得る。RFIDタグ38がマイルマーカーでトリガされる際に、スプリットタイムもメモリ46に保存されるということがさらに理解される。フィニッシュ26では、フィニッシュラインのマット14がRFIDタグ38をトリガすることで、最終レース時間を記録および表示し、クロノグラフ44を停止させる。典型的な構成では、ランナーは腕時計を使用し、レースコース沿いの各マイルメーカーに到達の時点で時計のラップ／スプリットボタンを押す。個人用運動装置10は、マイルマーカーでのRFIDプロンプト、および装置10と計時システム12との相互作用によってラップ／スプリットボタンが置き換えられる、単純なランナー用のクロノグラフと考えることができる。次にスプリットタイムおよびフィニッシュタイムを各ランナーが個人的に自動記録することができ、これによりランナーが行う手動ステップの必要がなくなる。さらに、この情報は、レース組織者が管理する計時システム12のコントローラ16によって、単に保存されるというのではなく、直ちにランナーに対して表示される。現在に至るまで、ランナーは、そのようなデータをディスプレイ42に示される形で直ちに利用可能というわけではなかった。
【００２２】
個人用運動装置10は、強化された計時能力も有し得る。例えば、ランナーは、所望の目標スプリットタイムを有するレースプランを設計できる。レース前に、ランナーは目標スプリットタイムをアップロードし、装置10のメモリ46に該タイムを記憶させる。アップロードは、様々な位置、例えばパーソナルコンピュータ、レース組織者と提携していることがあるキオスク、または他の対象となる実体から行われ得るものであり、さらにはデータポート接続またはワイヤレス伝送のいずれかを通じて実行できる。特定のマラソンコースに関して、キオスクは、補正されたマイルスプリットタイムを必要であれば計算し、装置10上の該タイムをメモリ46に配置する場合がある。レース中、各マイルマーカーで、ディスプレイ42は、上記のような実際のスプリットタイム、およびランナーによる比較用に装置10内に予め入力される目標スプリットタイムを示す。マイクロプロセッサ40は、ランナーが予め設定したペースをランナーが守っているか、上回っているか、または下回っているかをランナーに指示する、さらなる通信能力を有し得る。
【００２３】
別の例示的な態様では、個人用運動装置10は、機能性の点でより単純化された形態を取ることができ、レースイベントのフィニッシュタイムを単に表示することができる。したがって、ランナーがスタートラインを通過する際に個人用運動装置10が作動し、ランナーがコース22に沿って進むに伴ってクロノグラフ44はタイムを管理する。フィニッシュライン26を超えると、例えば図5に示すディスプレイ34上に最終タイムが表示される。この態様では、ディスプレイ42は、フィニッシュタイムがディスプレイ42に恒久的に表示される双安定ディスプレイ42Aであることが好ましい。ディスプレイ42が双安定ディスプレイであるため、ディスプレイ42がフィニッシュタイムを連続的に表示するために電力は必要ではない。したがって、個人用運動装置10を、棚またはマント上に配置するレースイベントのおみやげまたは記念品として使用できる。
【００２４】
論じた通り、個人用運動装置10は、ワイヤレス伝送能力を有し得る。装置10は、ランナーの計時情報を別のコンピュータに伝送する場合があり、該コンピュータは、該情報を、さらなる機能的能力を有するウェブサイトなどの別の位置に伝送する場合がある。例えば、ウェブサイトは、比較用のさらなるレースタイム、または特定の群のランナーのレースタイムを表示する場合がある。ウェブサイトは、レース組織者と提携しているウェブサイト、またはランナーに関連する別個のウェブサイトである場合がある。本発明の別の例示的な態様では、装置10がディスプレイ42を含まない場合があるということも理解される。この構成では、スプリットタイムを含むレースデータを、例えばウェブサイトに対してさらに伝送するために、例えばキオスクにおける別のコンピュータにダウンロードすることができる。
【００２５】
個人用運動装置10が独自のRFID通し番号を伴ってプログラムされるということが理解される。この独自番号は、個人の名前および個人情報と関連し得る。したがって、レース組織者との適切な協力により、例えばキオスクまたは他の中心位置でレースイベントを入力するために個人用運動装置10が使用される場合がある。すべての関係する情報が装置10に含まれるため、登録は、合理化された、より効率的なものになり得る。登録能力をさらに増強するために、例えばクレジットカードまたは他の情報を使用する支出能力も装置10に組み入れられる場合がある。
【００２６】
手首上での個人用運動装置10の着用が本発明の例示的な一形態であるということが理解される。所望であれば、装置10を他の位置の上で、例えば腕、衣服、ディスプレイを有する眼鏡、および靴の上で着用することもできる。装置10は、運動者がイヤホンを通じてタイム情報を聞くことができるオーディオ構成要素も備えている場合もある。
【００２７】
個人用運動装置10およびその機能性が、伝統的な腕時計の機能を有するフル機能腕時計、電話、デジタル音楽プレイヤー、心拍数モニタ、靴底の上または中で着用される電子装置、または他の電子装置に組み入れられる場合があるということも理解される。図1に模式的に示すように、装置10は、そのような他の電子装置と通信を行うための強化された通信能力を備えている場合がある。デジタル音楽プレイヤーの構成に関して、本発明の機能性を、カリフォルニア州クパチーノのApple, Inc.から入手可能なIPOD（登録商標）ブランドのデジタル音楽プレイヤーに具体的に組み入れることができる。そのような構成では、レースイベント中に到達する様々なチェックポイントまたはマイルマーカーに基づく、具体的な計時に関係する通信を含む、ランナーに対する進行中のオーディオ通信が存在し得る。装置10に対する通信は、習慣的なコーチングまたは動機づけのメッセージを含む様々な形態を取る場合がある。RFIDトリガは、レースコースについての位置情報を予め入力することを含むグローバルポジショニング機能も包含している場合がある。次に、GPS信号が装置10をトリガすることでランナーに有用な情報を与える場合がある。
【００２８】
マラソンイベントに関して具体例を本明細書で説明してきたが、個人用運動装置10は他のタイムドイベントで使用される場合があるということが理解される。例えば、バイカーおよびスイマー、ならびにトライアスロンに参加する運動者も該装置を使用する場合がある。
【００２９】
本発明の個人用運動装置10は、先行技術のシステムに対して強化された機能性を有している。装置10を複数のレースイベントで再利用されるように設計することができる。メモリは消去可能であり、クロノグラフは別のレース用にリセット可能である。また、メモリは複数のイベントでレースデータを維持するサイズである場合がある。あるいは、双安定ディスプレイを有する上記態様などの装置10を1回限りの使用のために設計することができる。さらに、上記の機能性を有するが、装置10が1回限りの使用のためであり、使い捨て可能であると考えられるものとして、装置10の構成要素を選択することができる。本発明の装置10の使用が、靴に装着される伝統的なトランスポンダよりも望ましい。これは、装置10が、ディスプレイ、ならびに、計時システム12を用いて生成される計時データに対するランナーによるさらなる使用および概観のための即時のアクセスを与えるためである。
【００３０】
最後に、計時イベントとは無関係の位置でのメッセージの表示に個人用運動装置10を利用することができる。例えば、小売店舗は、その位置にマット14または他の適切な信号生成装置を含む場合がある。装置10を着用し、位置を入力することで、商品または他の報奨などの報奨を獲得する個人が、ランダムに選択される場合がある。「勝者」であることを示すメッセージがディスプレイ42に表示される場合がある。ある個人が指定のマーカーの近くにいることを記録するために、スカベンジャーハントなどのゲームに装置10を使用する場合もある。
【００３１】
具体的な態様を例示および説明してきたが、本発明の精神から著しく逸脱することなく多くの修正が想到されるものであり、保護の範囲は、添付の特許請求の範囲の範囲によってのみ限定される。
【図１】
0005204836.tif 000002
【図２】
0005204836.tif 000003
【図３】
0005204836.tif 000004
【図４】
0005204836.tif 000005
【図５】
0005204836.tif 000006